(57)【要約】【課題】コンテンツを閲覧中に閲覧を中断し再開する際に、内容の把握をしやすい位置から表示を再開する情報表示装置を提供する。【解決手段】記憶部２０２に記憶されたコンテンツをスクロール制御部２０１の制御で表示部１０１に表示する。一時的に情報表示を中断する場合、ユーザ入力処理部１０２のキーを操作し、スクロール中断部２０３にスクロールと情報表示の中断を指示する。中断時の表示ポインタをポインタ保持部２０４に格納する。ポインタ保持部２０４には、さらに文章頭、段落頭、章頭等、コンテンツの意味的な区切りにあらかじめ付与されたコンテンツの構造に関するポインタも同時に格納されている。ユーザ入力処理部１０２へのキー操作で、スクロール中断部２０３は中断していた情報表示とスクロールの再開をポインタ保持部２０４の情報に基づいてスクロール制御部２０１に指示する。【選択図】図１
2005311660.tif 000002
【特許請求の範囲】
【請求項１】
あらかじめ定められた構造を有するコンテンツを保存するコンテンツ保存手段と、前記コンテンツを表示する表示手段と、前記表示手段に表示するコンテンツのスクロールを制御するスクロール制御手段と、前記スクロールの開始候補位置を前記あらかじめ定められた構造に基づいて複数個記憶する開始候補位置記憶手段と、前記開始候補位置記憶手段に記憶されたスクロールの開始候補位置から前記コンテンツを前記表示手段で再度表示を開始する場合に前記スクロールの開始位置を選択するスクロール開始位置選択手段と、を有していることを特徴とする情報表示装置。
【請求項２】
ユーザの指示を入力する入力手段を有し、前記入力手段に入力されたユーザの指示に応じて、前記スクロール開始位置選択手段が前記スクロールの開始位置を選択することを特徴とする請求項１記載の情報表示装置。
【請求項３】
前記表示手段でのコンテンツ表示の中断から再開までの時間を計測する表示中断時間計測手段を有し、前記表示中断時間計測手段が計測した時間に応じて、前記スクロール開始位置選択手段が前記スクロールの開始位置を選択することを特徴とする請求項１記載の情報表示装置。
【請求項４】
ユーザの集中度を検出する集中度検出手段を有し、前記スクロール制御手段は、前記集中度検出手段が検出したユーザの集中度に応じて前記スクロールを行うかどうかを決定することを特徴とする請求項３記載の情報表示装置。
【請求項５】
他の装置と通信する通信手段を有し、前記スクロール制御手段は、前記通信手段が動作状態の場合に前記コンテンツ表示を中断し、前記通信手段が動作停止状態に移行した場合に、前記コンテンツ表示を再開することを特徴とする請求項３記載の情報表示装置。
【請求項６】
あらかじめ定められた構造を有するコンテンツを保存するコンテンツ保存ステップと、前記コンテンツを表示するコンテンツ表示ステップと、前記コンテンツ表示ステップで表示するコンテンツのスクロールを制御するスクロール制御ステップと、前記スクロールの開始候補位置を前記あらかじめ定められた構造に基づいて複数個記憶する開始候補位置記憶ステップと、前記開始候補位置記憶ステップで記憶されたスクロールの開始候補位置から前記コンテンツを前記コンテンツ表示ステップで再度表示を開始する場合に前記スクロールの開始位置を選択するスクロール開始位置選択ステップと、を有していることを特徴とする情報表示方法。
【発明の詳細な説明】
【技術分野】
【０００１】
本発明は、携帯情報端末等の、書籍やニュース等のコンテンツを表示し閲覧するための情報表示装置及び方法に関し、特にコンテンツを表示する際のスクロール方法に関する。
【背景技術】
【０００２】
従来の情報表示装置の構成を図７に示す。
【０００３】
情報表示装置７００では、ネットワーク７０６を介して得られたコンテンツや外部の記録媒体７０５から得られたコンテンツは、記憶部７０３に蓄積されて、表示部７０１により表示される。スクロール制御部７０２は、ユーザ入力処理部７０４から入力されるユーザのコマンドに従って、表示された画面の切り替えなどコンテンツのスクロールを制御する。
【０００４】
従来の情報表示装置７００におけるスクロールの制御方法としては、例えば特許文献１には、スクロールを効率よく行うために、スクロール方向と１回のスクロール量をメッセージのフォーマットにより可変とする方法が示されている。
【０００５】
また、特許文献２では、スクロールを１行ごとに行う場合、回転式ダイヤル等でスクロールの指示を高速に行っても、３行分スクロールするためには、３回書き換えが行われるような１行ずつ表示を更新する方法では画面表示が間に合わないため、あらかじめ何行分のスクロールが指示されたかをカウントし、いちどに数行分のスクロールを行う方法が示されている。
【０００６】
これらの従来の情報表示装置７００において、スクロール開始の指示はユーザが行い、自動的にスクロールが行われることはない。１行づつのスクロール指示は煩雑な操作となるため、より操作しやすい回転ダイヤル式などが提案されている。しかしながら、携帯電話のメールのような比較的短いコンテンツに対しては、ユーザがスクロール指示操作を行うことは許容されるが、小説や新聞記事など比較的長いコンテンツを操作する際には、スクロール操作の煩雑さは許容し難いものとなる。
【０００７】
また、特許文献３には、スクロール操作の煩雑さを解消することを目的として、視線移動速度によるスクロール速度制御、表示の端に視線がくると、自動スクロールを行い、注視点があると、スクロールを止める方法が示されている。さらに特許文献４には、視線によるスクロール制御の誤動作を防ぐために、視線検出ののち、画面変更（スクロール）予告をだし、予告後の視線の動きに対して画面変更（スクロール）処理を行う方法が示されている。
【特許文献１】特開平１１−１８７４４３号公報
【特許文献２】特開２００２−３３０３９３号公報
【特許文献３】特開平１１−８５４５２号公報
【特許文献４】特開２００２−９９３８６号公報
【発明の開示】
【発明が解決しようとする課題】
【０００８】
しかしながら、ユーザが携帯情報端末などの情報表示装置を使ってコンテンツを表示し閲覧している場合は、常時装置の表示内容に集中して閲覧しているより、色々な要因によって閲覧を中断しつつ、コンテンツの閲覧を行っている場合が多く、従来の情報表示装置においては、コンテンツを閲覧中に閲覧を中断し、表示を再開する際に、中断した位置か
ら再開するので、内容の把握をしにくいという問題があった。
【０００９】
本発明は、かかる点に鑑みてなされたもので、コンテンツを閲覧中に閲覧を中断し再開する際に、内容の把握をしやすい位置から表示を再開する情報表示装置を提供することを目的とする。
【課題を解決するための手段】
【００１０】
本発明の情報表示装置は、あらかじめ定められた構造を有するコンテンツを保存するコンテンツ保存手段と、コンテンツを表示する表示手段と、表示手段に表示するコンテンツのスクロールを制御するスクロール制御手段と、スクロールの開始候補位置をあらかじめ定められた構造に基づいて複数個記憶する開始候補位置記憶手段と、開始候補位置記憶手段に記憶されたスクロールの開始候補位置からコンテンツを表示手段で再度表示を開始する場合にスクロールの開始位置を選択するスクロール開始位置選択手段とを有している。
【００１１】
この構成により、コンテンツを閲覧中に閲覧を中断し再開する際に、あらかじめ定められた構造に基づいて、例えば内容の把握をしやすい位置といった適切な位置から表示を再開するようにスクロールの開始位置を選択することができる。
【００１２】
また、本発明の情報表示装置は、ユーザの指示を入力する入力手段を有し、入力手段に入力されたユーザの指示に応じて、スクロール開始位置選択手段がスクロールの開始位置を選択する構成を有している。この構成により、コンテンツのあらかじめ定められた構成に基づいて、ユーザが希望するスクロール開始位置を選択することができる。
【００１３】
さらに、本発明の情報表示装置は、表示手段でのコンテンツ表示の中断から再開までの時間を計測する表示中断時間計測手段を有し、表示中断時間計測手段が計測した時間に応じて、スクロール開始位置選択手段がスクロールの開始位置を選択する構成を有している。この構成により、表示中断時間計測手段が計測した時間に応じて、例えば長時間コンテンツ表示を中断した場合には、より遡って上位の構成の区分位置にスクロール開始位置を選択することにより、情報閲覧が中断された場合でも、内容把握がしやすくなる。
【００１４】
さらに、本発明の情報表示装置は、ユーザの集中度を検出する集中度検出手段を有し、スクロール制御手段で、集中度検出手段が検出したユーザの集中度に応じてスクロールを行うかどうかを決定する構成を有している。この構成により、ユーザがコンテンツに集中していない場合にはスクロールを中断し、ユーザの集中が高まった場合に、スクロールを再開することにより、内容把握が容易に行える。
【００１５】
さらに、本発明の情報表示装置は、他の装置と通信する通信手段を有し、スクロール制御手段は、通信手段が動作状態の場合にコンテンツ表示を中断し、通信手段が動作停止状態に移行した場合に、コンテンツ表示を再開する構成を有している。この構成により、例えば、メールや電話といった通信手段が動作状態の場合に、コンテンツ表示を中断し、通話やメールの確認が終了した場合に、停止時間に応じて、コンテンツ表示を再開することにより、メールや通話等の通信によってコンテンツの閲覧が中断された場合にも、コンテンツ表示を再開した場合に内容を把握しやすくなる。
【発明の効果】
【００１６】
本発明は、あらかじめ定められた構造を有するコンテンツをコンテンツ保存手段に保存し、スクロール制御手段でコンテンツのスクロールを制御しながら表示手段にコンテンツを表示し、表示手段にコンテンツの表示を再度開始する場合に、開始候補位置記憶手段にあらかじめ定められた構造に基づいて複数個記憶されたスクロールの開始候補位置からスクロールの開始位置を選択するスクロール開始位置選択手段を設けることにより、コンテ
ンツを閲覧中に閲覧を中断し再開する際に、あらかじめ定められた構造に基づいて、例えば内容の把握をしやすい位置といった適切な位置から表示を再開するようにスクロールの開始位置を選択することができるという効果を有する情報表示装置を提供することができる。
【発明を実施するための最良の形態】
【００１７】
以下、本発明の実施の形態の情報表示装置について、図面を用いて説明する。
【００１８】
（第１の実施の形態）
以下、本発明の実施の形態の情報表示装置について、図１を用いて説明する。
【００１９】
図１において、情報表示装置２００は、ネットワーク３０１を介して得られたコンテンツや外部の記録媒体３０２から得られたコンテンツを記憶する記憶部２０２と、コンテンツを表示する表示部１０１と、スクロールを中断するかどうかを指示するスクロール中断部２０３と、スクロールのポインタ位置を保持するポインタ保持部２０４と、ユーザの指示を入力するユーザ入力処理部１０２と、ユーザ入力処理部１０２から入力されるユーザのコマンドに従って表示された画面の切り替えなどコンテンツのスクロールを制御するスクロール制御部２０１とを備える。
【００２０】
以上のように構成された情報表示装置２００について、その動作を説明する。
【００２１】
記憶部２０２に記憶されたコンテンツ（情報）をスクロール制御部２０１の制御の基、表示部１０１に表示している状態で、一時的に情報表示を中断したい場合に、ユーザはユーザ入力処理部１０２の任意のキーを操作し、スクロール中断部２０３にスクロールの中断ならびに情報表示の中断を指示する。その際、中断された時の表示ポインタが、ポインタ保持部２０４に格納される。
【００２２】
ポインタ保持部２０４には、中断時のポインタに加えて、文章頭、段落頭、章頭等、コンテンツの意味的な区切りにあらかじめ付与されたコンテンツの構造に関するポインタも同時に格納されている。再度のユーザ入力処理部１０２へのキー操作があると、スクロール中断部２０３は中断していた情報表示ならびにスクロールの再開をポインタ保持部２０４の情報に基づいてスクロール制御部２０１に指示する。
【００２３】
ユーザがもう少し前から情報を閲覧したい場合には、再度キー操作を繰り返す。それにより、ポインタ保持部２０４に保持されている開始ポインタが１段階上にあがった位置をスクロール中断部２０３を介してスクロール制御部２０１に通知し、スクロール制御部２０１は表示部１０１に新しい開始ポインタ位置からの情報表示を指示する。さらに遡って表示する場合には、同様の操作を行う。
【００２４】
コンテンツの階層構造を説明するために、文書の構造区切りに関する例を図２に示す。文書が、文字＜文節＜句＜文章＜段落＜章といった階層構造をもつ場合について説明する。
【００２５】
開始候補ポインタとしては、例えば、図２（ａ）に示すように、現在表示中のポインタに対して、ひとつ上の開始ポインタが、表示している部分を含む文章の先頭である文章頭、２つ上の開始ポインタとして、その文章を含む段落の先頭である段落頭、その上の開始ポインタとして、その段落を含む章の先頭である章頭と設定することができる。
【００２６】
図２（ｂ）に章構造を有する例を、図２（ｃ）に新聞記事の構造の例を示す。しかしながら、これは絶対的なものではなく、コンテンツの内容や意味的なまとまりに応じて、自
由に設定することができる。
【００２７】
図３に表示の一例を示す。情報は、読みやすいように大きなフォントを用いて１行で表示され、１文字毎に自動的にスクロールされている。例えば、電車の中で利用している場合など、電車が駅に到達した際、駅名を確認するために、表示部１０１での情報の表示を中断して駅名を確認し、再度情報の表示を開始する場合には、中断時間が短期間なので、そのまま中断前の表示内容を表示し、例えば乗り換え駅等により乗換えを行ってから再表示を開始する場合には、中断時間が長期間なので、ポインタ保持部２０４は、段落先頭から再表示するようスクロール制御部２０１に指示して再表示することにより、コンテンツの内容把握がよりしやすくなる。
【００２８】
この際の操作としては、例えば、中断位置からの再開は、任意のキー操作、ひとつ上の開始ポインタからの再開は、キー操作２回（ダブルクリック）、さらに上は、キー操作３回で行うものとする。
【００２９】
このように、本実施例の構成によれば、ユーザの指示により、表示開始ポインタを決定することにより、中断時間が長くなった場合でも、意味的にまとまった範囲で読み返すことができ、快適にコンテンツの閲覧を行うことができる。
【００３０】
（第２の実施の形態）
以下、本発明の実施の形態の情報表示装置２００について、図４を用いて説明する。
【００３１】
第１の実施の形態と同じ機能のものには、同一の番号を付与し、その説明を省略する。第１の実施の形態に加えて、表示中断時間を計測する停止時間測定部２０５を備える。第１の実施の形態ではユーザのキー操作に応じて表示再開ポインタを決定したが、本実施の形態では、情報表示が中断された時間長に応じて、表示再開ポインタが決定される。表示再開の制御の一例を以下に示す。
【００３２】
中断時間：５秒以内    中断ポインタから表示再開
２０秒以内    中断ポインタを含む文頭から表示再開
１分以内    中断ポインタを含む段落頭から表示再開
１分以上    中断ポインタを含む章頭から表示再開
このように、本実施の形態の構成によれば、中断された時間長に応じて、表示開始ポインタを決定することにより、中断時間が長くなった場合でも、意味的にまとまった範囲で読み返すことができ、快適にコンテンツの閲覧を行うことができる。
【００３３】
（第３の実施の形態）
図５は、本発明の第３の実施の形態における情報表示装置２００の構成の一例を示す。第３の実施の形態と同じ機能のものには、同一の番号を付与しその説明を省略する。第３の実施の形態の構成に加えて、ユーザの集中度を検出する集中度検出部２０６を有する。
【００３４】
集中度検出部２０６は、例えばユーザの視線の動きを検出することで実現することができる。ユーザの視線が情報表示装置２００上にあることをモニタしており、ユーザの視点が情報表示装置２００上からはずれた場合、集中度が低くなったと判断してスクロール表示を中断する。さらに一定の期間、ユーザの視点が情報表示装置２００上に戻らず、集中が再開しないと判断した場合には、情報表示装置２００の電源を切ることもできる。集中度検出部２０６が再度ユーザの情報表示装置２００への集中を認識した場合には、第１の実施の形態同様、中断時間に応じて表示開始ポインタを決定する。
【００３５】
集中度検出部２０６については、例えば、先に引用した特開平１１−８５４５２公報に
説明されている。引用特許では、視線の移動を検出しているが、本発明では、視線が表示情報の上にあるかどうかを判定すればよく、集中度の検出は視線の移動検出よりも精度よく行うことができる。例えば、電車乗車中に、駅名を見るために視線を移動した場合、本発明では、集中の中断と判断され、スクロール表示が停止されるが、引用特許の場合は、視線の移動と判断され、予期しないコマンドの入力と判断される場合がある。
【００３６】
このように、本実施の形態の構成によれば、何らかの事情により使用者が画面表示に集中しない時に自動的に表示を中断し、中断した時間に応じて、表示開始ポインタを決定することにより、中断時間が長くなった場合でも、意味的にまとまった範囲で読み返すことができ、快適にコンテンツの閲覧を行うことができる。
【００３７】
（第４の実施の形態）
図６は、本発明の第３の実施の形態における情報表示装置２００の構成の一例を示す。第３の実施の形態と同じ機能のものには、同一の番号を付与し、その説明を省略する。情報表示装置２００は、電話、メールの送受信といった通信部２０７を有する。
【００３８】
通話部２０７が電話やメールの送受信を開始すると、送受信開始をキューとして表示部１０１は情報の表示を中断し、通話の終了をキューとして情報表示を再開する。その際、停止時間測定部２０５が測定した中断時間に応じてスクロール制御部２０１は表示開始位置を決定する。
【００３９】
このように、本実施の形態の構成によれば、メールや通話により情報閲覧が中断された場合でも、意味的にまとまった範囲で読み返すことができ、快適にコンテンツの閲覧を行うことができる。
【００４０】
なお、コンテンツについては、文書から構成されるコンテンツに限らず、漫画のように、静止画と文章から構成されるコンテンツにおいても適用可能となる。この場合、スクロール及び情報表示の再開は、ページ毎、１コマ毎に設定することができる。
【００４１】
また、動画像の再生についても、複数の静止画像と音声から構成されているので、同様に適応可能であり、スクロールはフレーム毎に設定することができ、情報表示の再開は、ドラマなどでは、場面の切替毎、コマーシャル毎などに設定することができ、ニュース番組では、ニュースの内容毎、場面の切替毎などに設定することができる。
【産業上の利用可能性】
【００４２】
以上のように、本発明にかかる情報表示装置は、あらかじめ定められた構造を有するコンテンツをコンテンツ保存手段に保存し、スクロール制御手段でコンテンツのスクロールを制御しながら表示手段にコンテンツを表示し、表示手段にコンテンツを再度表示を開始する場合に、開始候補位置記憶手段にあらかじめ定められた構造に基づいて複数個記憶されたスクロールの開始候補位置からスクロールの開始位置を選択するスクロール開始位置選択手段を設けることにより、コンテンツを閲覧中に閲覧を中断し再開する際に、あらかじめ定められた構造に基づいて、例えば内容の把握をしやすい位置といった適切な位置から表示を再開するようにスクロールの開始位置を選択することができるという効果を有し、書籍やニュース等のコンテンツを表示し閲覧するための情報表示装置等として有用であり、テキスト・コンテンツを表示する際のスクロール方法として有用である。
【図面の簡単な説明】
【００４３】
【図１】第１の実施の形態における情報表示装置の構成を示す図
【図２】第１の実施の形態における表示装置のコンテンツの構成を示す図
【図３】第１の実施の形態における情報表示装置の表示例を示す図
【図４】第２の実施の形態における情報表示装置の構成を示す図
【図５】第３の実施の形態における情報表示装置の構成を示す図
【図６】第４の実施の形態における情報表示装置の構成を示す図
【図７】従来の情報表示装置の構成を示す図
【符号の説明】
【００４４】
１０１  表示部
１０２  ユーザ入力処理部
２００  情報表示装置
２０１  スクロール制御部
２０２  記憶部
２０３  スクロール中断部
２０４  ポインタ保持部
２０５  停止時間測定部
２０６  集中度検出部
２０７  通信部
３０１  ネットワーク
３０２  記録媒体
【図１】
2005311660.tif 000003
【図２】
2005311660.tif 000004
【図３】
2005311660.tif 000005
【図４】
2005311660.tif 000006
【図５】
2005311660.tif 000007
【図６】
2005311660.tif 000008
【図７】
2005311660.tif 000009